【手続補正書】
【提出日】平成19年12月11日(2007.12.11)
【手続補正１】
【補正対象書類名】明細書
【補正対象項目名】特許請求の範囲
【補正方法】変更
【補正の内容】
【特許請求の範囲】
【請求項１】  被写体像を光学的に表示する光学ファインダと、被写体像を電子的に撮像する撮像素子と、前記撮像素子によって変換された画像信号に基づいて該撮像素子が受光している被写体像を表示する電子ファインダと、前記撮像素子を遮光すると共に、撮影前に前記電子ファインダが表示する被写体像を前記撮像素子が受光できるように該撮像素子を露光状態とするフォーカルプレーンシャッタと、被写体からの光を前記光学ファインダ及び前記撮像素子のいずれか一方に導くための可動ミラーとを備え、
前記フォーカルプレーンシャッタは、露光位置と遮光位置との間で移動自在なシャッタ先幕と、露光位置と遮光位置との間で移動自在なシャッタ後幕とから成り、走行後の前記シャッタ先幕と走行前の前記シャッタ後幕とによって前記撮像素子を露光することにより、前記電子ファインダによる撮影前の被写体像の表示を許容し、
撮影前の被写体像を前記電子ファインダが表示している状態から撮影動作に移行する場合、前記フォーカルプレーンシャッタは、前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光することを特徴とするデジタルスチルカメラ。
【請求項２】  被写体像を光学的に表示する光学ファインダと、被写体像を電子的に撮像する撮像素子と、前記撮像素子によって変換された画像信号に基づいて該撮像素子が受光している被写体像を表示する電子ファインダと、露光位置と遮光位置との間で移動自在なシャッタ先幕及び露光位置と遮光位置との間で移動自在なシャッタ後幕から成るフォーカルプレーンシャッタと、被写体からの光を前記光学ファインダ及び前記撮像素子のいずれか一方に導くための可動ミラーとを備えるデジタルスチルカメラの制御方法であって、
走行後の前記シャッタ先幕と走行前の前記シャッタ後幕とによって前記撮像素子を露光することにより、撮影前の被写体像を前記電子ファインダに表示させる表示工程と、
撮影前の被写体像を前記電子ファインダが表示している状態から撮影動作に移行する移行工程と、
前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光する第１遮光工程とを有することを特徴とするデジタルスチルカメラの制御方法。
【請求項３】  被写体像を光学的に表示する光学ファインダと、被写体像を電子的に撮像する撮像素子と、前記撮像素子によって変換された画像信号に基づいて該撮像素子が受光している被写体像を表示する電子ファインダと、露光位置と遮光位置との間で移動自在なシャッタ先幕及び露光位置と遮光位置との間で移動自在なシャッタ後幕から成るフォーカルプレーンシャッタと、被写体からの光を前記光学ファインダ及び前記撮像素子のいずれか一方に導くための可動ミラーとを備えるデジタルスチルカメラの制御方法を実行するプログラムを格納する、コンピュータで読取可能な記憶媒体において、前記制御方法は、
走行後の前記シャッタ先幕と走行前の前記シャッタ後幕とによって前記撮像素子を露光することにより、撮影前の被写体像を前記電子ファインダに表示させる表示工程と、
撮影前の被写体像を前記電子ファインダが表示している状態から撮影動作に移行する移行工程と、
前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光する遮光工程とを有することを特徴とする記憶媒体。
【手続補正２】
【補正対象書類名】明細書
【補正対象項目名】０００８
【補正方法】変更
【補正の内容】
【０００８】
【課題を解決するための手段】
上述の目的を達成するために、請求項１記載のデジタルスチルカメラは、被写体像を光学的に表示する光学ファインダと、被写体像を電子的に撮像する撮像素子と、前記撮像素子によって変換された画像信号に基づいて該撮像素子が受光している被写体像を表示する電子ファインダと、前記撮像素子を遮光すると共に、撮影前に前記電子ファインダが表示する被写体像を前記撮像素子が受光できるように該撮像素子を露光状態とするフォーカルプレーンシャッタと、前記被写体からの光を前記光学ファインダ及び前記撮像素子のいずれか一方に導くための可動ミラーとを備え、前記フォーカルプレーンシャッタは、露光位置と遮光位置との間で移動自在なシャッタ先幕と、露光位置と遮光位置との間で移動自在なシャッタ後幕とから成り、走行後の前記シャッタ先幕と走行前の前記シャッタ後幕とによって前記撮像素子を露光することにより、前記電子ファインダによる撮影前の被写体像の表示を許容し、撮影前の被写体像を前記電子ファインダが表示している状態から撮影動作に移行する場合、前記フォーカルプレーンシャッタは、前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
上述の目的を達成するために、請求項２記載のデジタルスチルカメラの制御方法は、被写体像を光学的に表示する光学ファインダと、被写体像を電子的に撮像する撮像素子と、前記撮像素子によって変換された画像信号に基づいて該撮像素子が受光している被写体像を表示する電子ファインダと、露光位置と遮光位置との間で移動自在なシャッタ先幕及び露光位置と遮光位置との間で移動自在なシャッタ後幕から成るフォーカルプレーンシャッタと、前記被写体からの光を前記光学ファインダ及び前記撮像素子のいずれか一方に導くための可動ミラーとを備えるデジタルスチルカメラの制御方法であって、走行後の前記シャッタ先幕と走行前の前記シャッタ後幕とによって前記撮像素子を露光することにより、撮影前の被写体像を前記電子ファインダに表示させる表示工程と、撮影前の被写体像を前記電子ファインダが表示している状態から撮影動作に移行する移行工程と、前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光する第１遮光工程とを有することを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
上述の目的を達成するために、請求項３記載の記憶媒体は、被写体像を光学的に表示する光学ファインダと、被写体像を電子的に撮像する撮像素子と、前記撮像素子によって変換された画像信号に基づいて該撮像素子が受光している被写体像を表示する電子ファインダと、露光位置と遮光位置との間で移動自在なシャッタ先幕及び露光位置と遮光位置との間で移動自在なシャッタ後幕から成るフォーカルプレーンシャッタと、前記被写体からの光を前記光学ファインダ及び前記撮像素子のいずれか一方に偏向させる偏向手段とを備えるデジタルスチルカメラの制御方法を実行するプログラムを格納する、コンピュータで読取可能な記憶媒体において、前記制御方法は、走行後の前記シャッタ先幕と走行前の前記シャッタ後幕とによって前記撮像素子を露光することにより、撮影前の被写体像を前記電子ファインダに表示させる表示工程と、撮影前の被写体像を前記電子ファインダが表示している状態から撮影動作に移行する移行工程と、前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光する遮光工程とを有することを特徴とする。
【手続補正１３】
【補正対象書類名】明細書
【補正対象項目名】００５３
【補正方法】変更
【補正の内容】
【００５３】
【発明の効果】
以上詳細に説明したように、請求項１記載のデジタルスチルカメラ、請求項２記載の制御方法、及び請求項３記載の記憶媒体によれば、走行後のシャッタ先幕と走行前のシャッタ後幕とによって撮像素子を露光することにより、撮影前の被写体像を電子ファインダに表示させ、撮影前の被写体像を電子ファインダが表示している状態から撮影動作に移行する場合に、シャッタ先幕を走行前の位置に移動することにより撮像素子を遮光した後、シャッタ先幕を走行させて撮像素子を露光すると共にシャッタ後幕を走行させることにより撮像素子を遮光するので、従来のデジタルスチルカメラの構成をほとんど変更することなく光学ファインダ表示及び電子ファインダ表示を選択的に行うことができる。